【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
外周面にネジ山を有する円筒状の口金部で構成されて突設されたガス入口部及びガス出口部を上面に有し、関連部材取付部を上方に有する金属製筐体と、
前記金属製筐体に上から取り付け可能なように下面が開口した薄板状の樹脂で形成されており、前記金属製筐体に取り付けられて、少なくとも前記関連部材取付部の一部を覆い、前記ガス入口部及び前記ガス出口部にそれぞれ対応して、前記ガス入口部及び前記ガス出口部の外径と略等しい形状の一対の孔部を有し、該一対の孔部に前記ガス入口部及び前記ガス出口部がそれぞれ挿通されることにより前記金属製筐体を覆うガスメータカバーと、
前記ガスメータカバーにより前記金属製筐体が覆われる前に前記ガス入口部及び前記ガス出口部に順に挿通された薄板リング状のスペーサ及びカバーパッキンと、
連結部材を介してガス管に連結するため前記ガス入口部及び前記ガス出口部にそれぞれ結合される継手手段とを含み、
前記カバーパッキンは、前記ガス入口部及び前記ガス出口部の外径よりやや小さな内径と、前記孔部の内径より大きな外径と、弾力性とを有し、
前記継手手段は、前記連結部材が螺合されるネジ山が一端側外周面に、鍔部が他端にそれぞれ形成された円筒状の第１継手部材と、前記第１継手部材を覆うようにして前記ガス入口部及び前記ガス出口部の外周面のネジ山に螺合されるネジ山が中空内周面の一端側から形成されるとともに、前記鍔部と係合する段部が中空内周面の他端に形成された中空筒状の第２継手部材とを有し、
前記第２継手部材の段部が前記第１継手部材の鍔部に係合されるとともに前記第２継手部材の一端が前記ガスメータカバーの表面に当接されるように、前記第２継手部材のネジ山が前記ガス入口部及び前記ガス出口部のネジ山に螺合されることにより、前記第１継手部材が前記ガス入口部及び前記ガス出口部の円筒上面に、前記ガス入口部及び前記ガス出口部の円筒上面と前記鍔部との間に挿入されたリング状の継手パッキンをそれぞれ介して重着されるとともに、前記ガスメータカバーが前記金属製筐体との間に前記カバーパッキン及び前記スペーサを挟んで前記金属製筐体に固定される
ことを特徴とするガスメータ。
【請求項２】
外周面にネジ山を有する円筒状の口金部で構成されて突設されたガス入口部及びガス出口部を上面に有し、関連部材取付部を上方に有する金属製筐体と、
前記金属製筐体に上から取り付け可能なように下面が開口した薄板状の樹脂で形成されており、前記金属製筐体に取り付けられて、少なくとも前記関連部材取付部の一部を覆い、前記ガス入口部及び前記ガス出口部にそれぞれ対応して、前記ガス入口部及び前記ガス出口部の外径と略等しい形状の一対の孔部を有し、該一対の孔部に前記ガス入口部及び前記ガス出口部がそれぞれ挿通されることにより前記金属製筐体を覆うガスメータカバーと、
前記ガスメータカバーにより前記金属製筐体が覆われる前に前記ガス入口部及び前記ガス出口部に挿通された薄板リング状のスペーサと、
前記ガスメータカバーにより前記金属製筐体が覆われた後に前記ガス入口部及び前記ガス出口部に順に挿通された薄板リング状のカバーパッキンと、
連結部材を介してガス管に連結するため前記ガス入口部及び前記ガス出口部にそれぞれ結合される継手手段とを含み、
前記カバーパッキンは、前記ガス入口部及び前記ガス出口部の外径よりやや小さな内径と、前記孔部の内径より大きな外径と、弾力性とを有し、
前記継手手段は、前記連結部材が螺合されるネジ山が一端側外周面に、鍔部が他端にそれぞれ形成された円筒状の第１継手部材と、前記第１継手部材を覆うようにして前記ガス入口部及び前記ガス出口部の外周面のネジ山に螺合されるネジ山が中空内周面の一端側から形成されるとともに、前記鍔部と係合する段部が中空内周面の他端側に形成された中空筒状の第２継手部材とを有し、
前記第２継手部材の段部が前記第１継手部材の鍔部に係合されるとともに前記第２継手部材の一端が前記カバーパッキンの表面に当接されるように、前記第２継手部材のネジ山が前記ガス入口部及び前記ガス出口部のネジ山に螺合されることにより、前記第１継手部材が前記ガス入口部及び前記ガス出口部の円筒上面に、前記ガス入口部及び前記ガス出口部の円筒上面と前記鍔部との間に挿入されたリング状の継手パッキンをそれぞれ介して重着されるとともに、前記ガスメータカバーが前記第２継手部材の一端との間に前記カバーパッキンを、前記金属製筐体との間に前記スペーサをそれぞれ挟んで前記金属製筐体に固定される
ことを特徴とするガスメータ。
【請求項３】
請求項１又は２記載のガスメータにおいて、
前記関連部材取付部は、ガス使用量を表示する表示装置の取付部であり、
前記ガスメータカバーが前記ガスメータに固定された際に、前記ガスメータカバーの前記関連部材取付部に対応する部分は透明になっている
ことを特徴とするガスメータ。
【手続補正２】
【補正対象書類名】明細書
【補正対象項目名】０００３
【補正方法】変更
【補正の内容】
【０００３】
このようなタイプのガスメータは、様々な地域に広く普及している。例えば、大都市部はもちろん、海岸に近い地域や、多雨地域にも普及している。このようなガスメータの筐体、及び筐体に取り付けられる装置類、スイッチ類、ネジ類等は、通常金属製であり、かつ長期間使用されるものであるため、設置地域、設置場所によっては、塩害や雨水侵入による錆の発生が問題となっている。ところが、縦出入口型ガスメータに対して、塩害や雨水侵入に対する防錆対策を講じた製品やアイディアはなかった。
【手続補正３】
【補正対象書類名】明細書
【補正対象項目名】０００９
【補正方法】変更
【補正の内容】
【０００９】
上記課題を解決するためになされた請求項１記載のガスメータは、外周面にネジ山を有する円筒状の口金部で構成されて突設されたガス入口部２０ａ及びガス出口部２０ｂを上面に有し、関連部材取付部を上方に有する金属製筐体と、前記金属製筐体に上から取り付け可能なように下面が開口した薄板状の樹脂で形成されており、前記金属製筐体に取り付けられて、少なくとも前記関連部材取付部の一部を覆い、前記ガス入口部２０ａ及び前記ガス出口部２０ｂにそれぞれ対応して、前記ガス入口部２０ａ及び前記ガス出口部２０ｂの外径と略等しい形状の一対の孔部１１ａ及び１１ｂを有し、該一対の孔部１１ａ及び１１ｂに前記ガス入口部２０ａ及び前記ガス出口部２０ｂがそれぞれ挿通されることにより前記金属製筐体を覆うガスメータカバー１と、前記ガスメータカバー１により前記金属製筐体が覆われる前に前記ガス入口部２０ａ及び前記ガス出口部２０ｂに順に挿通された薄板リング状のスペーサ９ａ及び９ｂ及びカバーパッキン８ａ及び８ｂと、連結部材４ａ及び４ｂを介してガス管３ａ、３ｂに連結するため前記ガス入口部２０ａ及び前記ガス出口部２０ｂにそれぞれ結合される継手手段５ａ、６ａ及び５ｂ、６ｂとを含み、前記カバーパッキン８ａ、８ｂは、前記ガス入口部２０ａ及び前記ガス出口部２０ｂの外径よりやや小さな内径と、前記孔部１１ａ及び１１ｂの内径より大きな外径と、弾力性とを有し、前記継手手段５ａ、６ａ及び５ｂ、６ｂは、前記連結部材４ａ及び４ｂが螺合されるネジ山が一端側外周面に、鍔部が他端にそれぞれ形成された円筒状の第１継手部材５ａ及び５ｂと、前記第１継手部材５ａ及び５ｂを覆うようにして前記ガス入口部２０ａ及び前記ガス出口部２０ｂの外周面のネジ山に螺合されるネジ山が中空内周面の一端側から形成されるとともに、前記鍔部と係合する段部が中空内周面の他端側に形成された中空筒状の第２継手部材６ａ及び６ｂとを有し、前記第２継手部材６ａ及び６ｂの段部が前記第１継手部材５ａ及び５ｂの鍔部に係合されるとともに前記第２継手部材６ａ及び６ｂの一端が前記ガスメータカバー１の表面に当接されるように、前記第２継手部材６ａ及び６ｂのネジ山が前記ガス入口部２０ａ及び前記ガス出口部２０ｂのネジ山に螺合されることにより、前記第１継手部材５ａ及び５ｂが前記ガス入口部２０ａ及び前記ガス出口部２０ｂの円筒上面に、前記ガス入口部２０ａ及び前記ガス出口部２０ｂの円筒上面と前記鍔部との間に挿入された継手パッキン７ａ及び７ｂをそれぞれ介して重着されるとともに、前記ガスメータカバー１が前記金属製筐体との間に前記カバーパッキン８ａ及び８ｂ及び前記スペーサ９ａ及び９ｂを挟んで前記金属製筐体に固定されることを特徴とする。
【手続補正４】
【補正対象書類名】明細書
【補正対象項目名】００１０
【補正方法】変更
【補正の内容】
【００１０】
請求項１記載の発明によれば、第２継手部材６ａ及び６ｂの段部が第１継手部材５ａ及び５ｂの鍔部に係合されるとともに第２継手部材６ａ及び６ｂの一端がガスメータカバー１の表面に当接されるように、第２継手部材６ａ及び６ｂのネジ山がガス入口部２０ａ及びガス出口部２０ｂのネジ山に螺合されることにより、第１継手部材５ａ及び５ｂがガス入口部２０ａ及びガス出口部２０ｂの円筒上面に、ガス入口部２０ａ及びガス出口部２０ｂの円筒上面と鍔部との間に挿入された継手パッキン７ａ及び７ｂをそれぞれ介して重着されるとともに、ガスメータカバー１が金属製筐体との間にカバーパッキン８ａ及び８ｂ及びスペーサ９ａ及び９ｂを挟んで金属製筐体に固定される。このように、ガスメータに本来備わっているガス入口部２０ａ及びガス出口部２０ｂを利用してガスメータカバー１が位置決めされ、連結部材４ａ及び４ｂを介してガス管３ａ、３ｂに連結するため必ず使用されガス入口部２０ａ及びガス出口部２０ｂにそれぞれ結合される継手手段５ａ、６ａ及び５ｂ、６ｂが有する中空筒状の第２継手部材６ａ及び６ｂを利用してガスメータカバー１が確実に固定される。
【手続補正５】
【補正対象書類名】明細書
【補正対象項目名】００１１
【補正方法】変更
【補正の内容】
【００１１】
また、ガスメータカバー１と金属製筐体との間にスペーサ９ａ及び９ｂとともに挟まれるカバーパッキン８ａ及び８ｂが、ガス入口部２０ａ及びガス出口部２０ｂの外径よりやや小さな内径と、孔部１１ａ及び１１ｂの内径より大きな外径と、弾力性とを有するので、第２継手部材６ａ及び６ｂが、ガス入口部２０ａ及びガス出口部２０ｂの円筒上面に、ガス入口部２０ａ及びガス出口部２０ｂの円筒上面と鍔部との間に挿入された継手パッキン７ａ及び７ｂをそれぞれ介して第１継手部材５ａ及び５ｂを重着するために、ガス入口部２０ａ及びガス出口部２０ｂに螺合されるものであっても、上方からガスメータに対する気密性がより向上して、上方からの雨水等の侵入をより確実に防止する。また、ガスメータ下面は開口しているので、一定の通気性も維持される。
【手続補正６】
【補正対象書類名】明細書
【補正対象項目名】００１２
【補正方法】変更
【補正の内容】
【００１２】
上記課題を解決するためになされた請求項２記載のガスメータは、外周面にネジ山を有する円筒状の口金部で構成されて突設されたガス入口部２０ａ及びガス出口部２０ｂを上面に有し、関連部材取付部を上方に有する金属製筐体と、前記金属製筐体に上から取り付け可能なように下面が開口した薄板状の樹脂で形成されており、前記金属製筐体に取り付けられて、少なくとも前記関連部材取付部の一部を覆い、前記ガス入口部２０ａ及び前記ガス出口部２０ｂにそれぞれ対応して、前記ガス入口部２０ａ及び前記ガス出口部２０ｂの外径と略等しい形状の一対の孔部１１ａ及び１１ｂを有し、該一対の孔部１１ａ及び１１ｂに前記ガス入口部２０ａ及び前記ガス出口部２０ｂがそれぞれ挿通されることにより前記金属製筐体を覆うガスメータカバー１と、前記ガスメータカバー１により前記金属製筐体が覆われる前に前記ガス入口部２０ａ及び前記ガス出口部２０ｂに挿通された薄板リング状のスペーサ９ａ及び９ｂと、前記ガスメータカバー１により前記金属製筐体が覆われた後に前記ガス入口部２０ａ及び前記ガス出口部２０ｂに挿通された薄板リング状のカバーパッキン８ａ及び８ｂと、連結部材４ａ及び４ｂを介してガス管３ａ、３ｂに連結するため前記ガス入口部２０ａ及び前記ガス出口部２０ｂにそれぞれ結合される継手手段５ａ、６ａ及び５ｂ、６ｂとを含み、前記カバーパッキン８ａ、８ｂは、前記ガス入口部２０ａ及び前記ガス出口部２０ｂの外径よりやや小さな内径と、前記孔部１１ａ及び１１ｂの内径より大きな外径と、弾力性とを有し、前記継手手段５ａ、６ａ及び５ｂ、６ｂは、前記連結部材４ａ及び４ｂが螺合されるネジ山が一端側外周面に、鍔部が他端にそれぞれ形成された円筒状の第１継手部材５ａ及び５ｂと、前記第１継手部材５ａ及び５ｂを覆うようにして前記ガス入口部２０ａ及び前記ガス出口部２０ｂの外周面のネジ山に螺合されるネジ山が中空内周面の一端側から形成されるとともに、前記鍔部と係合する段部が中空内周面の他端側に形成された中空筒状の第２継手部材６ａ及び６ｂとを有し、前記第２継手部材６ａ及び６ｂの段部が前記第１継手部材５ａ及び５ｂの鍔部に係合されるとともに前記第２継手部材６ａ及び６ｂの一端が前記ガスメータカバー１の表面に当接されるように、前記第２継手部材６ａ及び６ｂのネジ山が前記ガス入口部２０ａ及び前記ガス出口部２０ｂのネジ山に螺合されることにより、前記第１継手部材５ａ、６ａ及び５ｂ、６ｂが前記ガス入口部２０ａ及び前記ガス出口部２０ｂの円筒上面に、前記ガス入口部２０ａ及び前記ガス出口部２０ｂの円筒上面と前記鍔部との間に挿入された継手パッキン７ａ及び７ｂをそれぞれ介して重着されるとともに、前記金属製筐体との間に前記カバーパッキン８ａ及び８ｂ及び前記スペーサ９ａ及び９ｂを挟んで前記カバーパッキン８ａ及び８ｂは、前記ガス入口部２０ａ及び前記ガス出口部２０ｂの外径よりやや小さな内径と、前記孔部１１ａ及び１１ｂの内径より大きな外径と、弾力性とを有し、前記継手手段５ａ、６ａ及び５ｂ、６ｂは、前記連結部材４ａ及び４ｂが螺合されるネジ山が一端側外周面に、鍔部が他端にそれぞれ形成された円筒状の第１継手部材５ａ及び５ｂと、前記第１継手部材５ａ及び５ｂを覆うようにして前記ガス入口部２０ａ及び前記ガス出口部２０ｂの外周面のネジ山に螺合されるネジ山が中空内周面の一端側から形成されるとともに、前記鍔部と係合する段部が中空内周面の他端側に形成された中空筒状の第２継手部材６ａ及び６ｂとを有し、前記第２継手部材６ａ及び６ｂの段部が前記第１継手部材５ａ及び５ｂの鍔部に係合されるとともに前記第２継手部材６ａ及び６ｂの一端が前記カバーパッキン８ａ及び８ｂの表面に当接されるように、前記第２継手部材６ａ及び６ｂのネジ山が前記ガス入口部２０ａ及び前記ガス出口部２０ｂのネジ山に螺合されることにより、前記第１継手部材５ａ及び５ｂが前記ガス入口部２０ａ及び前記ガス出口部２０ｂの円筒上面に、前記ガス入口部２０ａ及び前記ガス出口部２０ｂの円筒上面と前記鍔部との間に挿入された継手パッキン７ａ及び７ｂをそれぞれ介して重着されるとともに、前記ガスメータカバー１が前記第２継手部材６ａ及び６ｂの一端との間に前記カバーパッキン８ａ及び８ｂを、前記金属製筐体との間に前記スペーサ８ａ及び８ｂをそれぞれを挟んで前記金属製筐体に固定されることを特徴とする。
【手続補正７】
【補正対象書類名】明細書
【補正対象項目名】００１３
【補正方法】変更
【補正の内容】
【００１３】
請求項２記載の発明によれば、第２継手部材６ａ及び６ｂの段部が第１継手部材５ａ及び５ｂの鍔部に係合されるとともに第２継手部材６ａ及び６ｂの一端がカバーパッキン８ａ及び８ｂの表面に当接されるように、第２継手部材６ａ及び６ｂのネジ山がガス入口部２０ａ及びガス出口部２０ｂのネジ山に螺合されることにより、第１継手部材５ａ及び５ｂがガス入口部２０ａ及びガス出口部２０ｂの円筒上面に、ガス入口部２０ａ及びガス出口部２０ｂの円筒上面と鍔部との間に挿入された継手パッキン７ａ及び７ｂをそれぞれ介して重着されるとともに、ガスメータカバー１が第２継手部材６ａ及び６ｂの一端との間にカバーパッキン８ａ及び８ｂを、金属製筐体との間にスペーサ８ａ及び８ｂをそれぞれを挟んで金属製筐体に固定される。このように、ガスメータに本来備わっているガス入口部２０ａ及びガス出口部２０ｂを利用してガスメータカバー１が位置決めされ、連結部材４ａ及び４ｂを介してガス管３ａ、３ｂに連結するため必ず使用されガス入口部２０ａ及びガス出口部２０ｂにそれぞれ結合される継手手段５ａ、６ａ及び５ｂ、６ｂが有する中空筒状の第２継手部材６ａ及び６ｂを利用してガスメータカバー１が確実に固定される。
【手続補正８】
【補正対象書類名】明細書
【補正対象項目名】００１４
【補正方法】変更
【補正の内容】
【００１４】
また、金属製筐体との間にスペーサ８ａ及び８ｂを挟んでいるガスメータカバー１と第２継手部材６ａ及び６ｂの一端との間に挟まれたカバーパッキン８ａ及び８ｂがガス入口部２０ａ及びガス出口部２０ｂの外径よりやや小さな内径と、孔部１１ａ及び１１ｂの内径より大きな外径と、弾力性とを有するので、第２継手部材６ａ及び６ｂが、ガス入口部２０ａ及びガス出口部２０ｂの円筒上面に、ガス入口部２０ａ及びガス出口部２０ｂの円筒上面と鍔部との間に挿入された継手パッキン７ａ及び７ｂをそれぞれ介して第１継手部材５ａ及び５ｂを重着するために、ガス入口部２０ａ及びガス出口部２０ｂに螺合されるものであっても、上方からガスメータに対する気密性がより向上して、上方からの雨水等の侵入をより確実に防止することができる。また、ガスメータ下面は開口しているので、一定の通気性も維持される。
【手続補正９】
【補正対象書類名】明細書
【補正対象項目名】００１８
【補正方法】変更
【補正の内容】
【００１８】
また、カバーパッキン８ａ、８ｂ及びスペーサ８ａ及び８ｂにより、上方からガスメータに対する気密性がより向上して、上方からの雨水等の侵入をより確実に防止することができるようになる。これは、特に塩害地において有効となる。もちろん、ガスメータ下面は開口しているので、一定の通気性も維持される。
【手続補正１０】
【補正対象書類名】明細書
【補正対象項目名】００２０
【補正方法】変更
【補正の内容】
【００２０】
以下、本発明の実施の形態を図面に基づいて説明する。
図１は、本発明の一実施形態を示す外観斜視図である。図１に示すように、本発明の一実施形態に関わるガスメータ２のガスメータカバー１は、透明薄板樹脂製であり、略箱形のガスメータ２の筐体の上半分に対応した形状となっている。ガスメータカバー１は、ガスメータ２の筐体よりもやや大きく、下面が開口した形状にもなっており、略箱形のガスメータ２の筐体の上半分を覆うように取り付けられている。ガスメータ２の筐体の上面に突設された円筒型のガス入口部２０ａ及びガス出口部２０ｂにはそれぞれ、ガス供給源につながるガス管３ａ及びガス消費源につながるガス管３ｂが連結されている。ガス管３ａは、連結部材４ａ、及び継手手段５ａ、６ａを介してガス入口部２０ａに連結され、同様に、ガス管３ｂは、連結部材４ｂ、及び継手手段５ｂ、６ｂを介して、ガス出口部２０ｂに連結されている。ガス入口部２０ａ及びガス出口部２０ｂは現実的には、ネジ山を有する円筒状の口金部で構成されている。なお、ガスメータカバー１については、図３を用いて後述する。
【手続補正１１】
【補正対象書類名】明細書
【補正対象項目名】００２４
【補正方法】変更
【補正の内容】
【００２４】
図２（Ａ）及び図２（Ｂ）に示すように、ガスメータカバー１とガスメータ２の金属製筐体との間には、カバーパッキン８ａ及びスペーサ９ａが介設される。これらカバーパッキン８ａ及びスペーサ９ａについては、図４及び図５を用いて後述するが、基本的に、カバーパッキン８ａは弾力性及び気密性のある材料で薄型リング状に形成され、スペーサ９ａは比較的硬度のある材料で薄板リング状に形成されている。スペーサ９ａは、ガス入口部２０ａの下方縁部に挿着される。このスペーサ９ａの上には、カバーパッキン８ａがガス入口部２０ａに挿着される。
【手続補正１２】
【補正対象書類名】明細書
【補正対象項目名】００２５
【補正方法】変更
【補正の内容】
【００２５】
このガス入口部２０ａの円筒上面には、薄板リング状の継手パッキン７ａを介して、円筒状の第１継手部材５ａが重着される。これら継手パッキン７ａ及び第１継手部材５ａは金属製であり、この種のガスメータに従来から使用されているものである。そして、この第１継手部材５ａの一端側外周面にはネジ山が、他端に鍔部がそれぞれ形成されており、このネジ山が図１に示した連結部材４ａに螺合されて、ガス入口部２０ａがガス管３ａに連結されることになる。また、この第１継手部材５ａを内周面に一端側からネジ山が、内周面の他端側に第１継手部材５ａの鍔部に係合される段部が形成された中空の六角筒状の第２継手部材６ａが覆い、この内周面のネジ山がガス入口部２０ａの外側面に形成されたネジ山に螺合される。このことにより、図示のように、第２継手部材６ａの段部が第１継手部材５ａの鍔部に係合されるとともに第２継手部材６ａの一端がガスメータカバー１の表面に当接されるようになる。
【手続補正１３】
【補正対象書類名】明細書
【補正対象項目名】００２６
【補正方法】変更
【補正の内容】
【００２６】
ガスメータカバー１は、上述した各部材を介して、ガスメータ２に固定される。この固定された状態は、図２（Ａ）に示すように、カバーパッキン８ａと第２継手部材６ａの下面部に、ガスメータカバー１が挟持された状態になる。ここで、上記ガスメータカバー１とガスメータ２との間に介設されるカバーパッキン８ａは、弾力性を有し、ガス入口部２０ａの外径Ｒ１よりやや小さな内径Ｒと、孔部１１ａの内径より大きな外径と、ガスメータ２及びスペーサ９ａにより圧縮可能な高さＨとを有するものである。これにより、ガスメータに対する気密性がより向上して、上方からの雨水等の侵入をより確実に防止することができるようになる。これは、特に塩害地において有効となる。もちろん、ガスメータ下面は開口しているので、一定の通気性も維持される。
【手続補正１４】
【補正対象書類名】明細書
【補正対象項目名】００２７
【補正方法】変更
【補正の内容】
【００２７】
なお、ここでは、代表して、ガス入口部２０ａ側を用いてガスメータカバー１の取り付け構造を説明したが、ガス出口部２０ｂ側もこれと全く同様である。上記ガス入口部２０ａ側の第１継手部材５ａ、第２継手部材６ａ、継手パッキン７ａ、カバーパッキン８ａ及びスペーサ９ａはそれぞれ、ガス出口部２０ｂ側の第１継手部材５ｂ、第２継手部材６ｂ、継手パッキン７ｂ、カバーパッキン８ｂ及びスペーサ９ｂに対応する。
【手続補正１５】
【補正対象書類名】明細書
【補正対象項目名】００２８
【補正方法】変更
【補正の内容】
【００２８】
次に、上述のようなガスメータカバー１のガスメータ２への取り付け方法及び固定方法を説明すると、まず、スペーサ９ａ及びカバーパッキン８ａをこの順にガス入口部２０ａに、また、スペーサ９ｂ及びカバーパッキン８ｂをこの順にガス出口部２０ｂに挿通する。次に、ガス入口部２０ａ及びガス出口部２０ｂが一対の孔部１１ａ及び１１ｂにそれぞれ挿通するように、ガスメータカバー１を筐体に装着する。次に、ガス入口部２０ａ及びガス出口部２０ｂのそれぞれの上部に、継手パッキン７ａ及び７ｂを載せる。そして、ガス入口部２０ａ及びガス出口部２０ｂそれぞれに対応する継手手段５ａ、６ａ及び５ｂ、６ｂを、ガス入口部２０ａ及びガス出口部２０ｂに連結する。このようにして、図２（Ａ）に示すようにガスメータカバー１がガスメータ２に取り付けられる。
【手続補正１６】
【補正対象書類名】明細書
【補正対象項目名】００３２
【補正方法】変更
【補正の内容】
【００３２】
特に、本ガスメータカバー１は、図３（Ａ）に示すように、ガスメータ２の筐体の前面部に対応する側は、ガスメータ２の筐体の形状に対応して徐々に狭まった形状をしており、下方にすすむにしたがって徐々に外側に広がるように、例えば、５±１度程度開口している。そして、ガスメータカバー１は、ガスメータ２の筐体の上半分、特に、上記関連部材取付部の配置されている部分を覆うような形状をしている。また、本ガスメータカバー１は、ガス入口部２０ａ及びガス出口部２０ｂにそれぞれ対応して、ガス入口部２０ａ及びガス出口部２０ｂと略等しい形状の一対の円形の孔部１１ａ及び１１ｂが形成されている。
【手続補正１７】
【補正対象書類名】明細書
【補正対象項目名】００３５
【補正方法】変更
【補正の内容】
【００３５】
また、図４（Ａ）及び（Ｂ）に示すように、カバーパッキン８ａ、８ｂは、所定の外径及び内径と弾力性とを有する薄板リング状に形成されている。カバーパッキン８ａ、８ｂはスポンジ状であり、例えば、薄板状の独砲型ＥＰＤＭ等で形成される。カバーパッキン８ａ、８ｂの内径は、前述したように、ガス入口部２０ａ、ガス出口部２０ｂの外径Ｒ１よりやや小さく、例えば、３５ｍｍ程度である。また、その外径は、前述したように、孔部１１ａ、１１ｂの内径よりやや大きく、例えば、５０ｍｍ程度である。また、その高さは、取り付け時に、ガスメータ２及びスペーサ９ａ、９ｂにより圧縮可能な、例えば、６ｍｍ程度である。
【手続補正１８】
【補正対象書類名】明細書
【補正対象項目名】００３６
【補正方法】変更
【補正の内容】
【００３６】
このように、カバーパッキン８ａ、８ｂの内径は、ガス入口部２０ａ、ガス出口部２０ｂの外径Ｒ１よりやや小さいので、その内周面８１ａ、８１ｂとガス入口部２０ａ、ガス出口部２０ｂの外周面との密着性が高まる。また、ガスメータ２及びスペーサ９ａ、９ｂにより圧縮可能な高さであるので、更にその密着性が高まる。したがって、ガスメータに対する気密性がより向上して、上方からの雨水等の侵入をより確実に防止することができるようになる。これは、特に塩害地において有効となる。もちろん、ガスメータ下面は開口しているので、一定の通気性も維持される。
【手続補正１９】
【補正対象書類名】明細書
【補正対象項目名】００３７
【補正方法】変更
【補正の内容】
【００３７】
また、図５（Ａ）及び（Ｂ）に示すように、スペーサ９ａ、９ｂは、所定の外径及び内径とを有する薄板リング状に形成されている。スペーサ９ａ、９ｂは、例えば、薄板状のＡＢＳ樹脂で形成される。スペーサ９ａ、９ｂの内径は、ガス入口部２０ａ、ガス出口部２０ｂの下方縁部の外径と略等しく、例えば、３８ｍｍ程度である。また、その外径は、上記カバーパッキン８ａ、８ｂと同様、例えば、５０ｍｍ程度である。また、その高さは、例えば、４ｍｍ程度である。スペーサ９ａ、９ｂの内側面９１ａ、９１ｂは、ガス入口部２０ａ、ガス出口部２０ｂに挿着しやすいように面取りされている。
【手続補正２０】
【補正対象書類名】明細書
【補正対象項目名】００３８
【補正方法】変更
【補正の内容】
【００３８】
このようなスペーサ９ａ、９ｂを用いることにより、カバーパッキン８ａ、８ｂとガスメータカバー１との密着性が更に高まり、上方からの雨水等の侵入が更に確実に防止されるようになる。
【手続補正２１】
【補正対象書類名】明細書
【補正対象項目名】００４０
【補正方法】変更
【補正の内容】
【００４０】
この取り付け構造では、図２で示したそれに対して、カバーパッキン８ａをガスメータカバー１と第２継手部材６ａとの間に介設するようにしている。すなわち、ガスメータカバー１とガスメータ２の金属製筐体との間にはスペーサ９ａのみがガス入口部２０ａに挿着される。このスペーサ９ａは、ガス入口部２０ａの下方縁部に挿着される。このスペーサ９ａの上には、ガスメータカバー１を介して、カバーパッキン８ａがガス入口部２０ａに挿着される。
【手続補正２２】
【補正対象書類名】明細書
【補正対象項目名】００４１
【補正方法】変更
【補正の内容】
【００４１】
更に、ガス入口部２０ａの円筒上面には、薄板リング状の継手パッキン７ａを介して、円筒状の第１継手部材５ａが重着される。そして、この第１継手部材５ａの一端側外周面にはネジ山が、他端に鍔部がそれぞれ形成されており、ネジ山には、連結部材４ａに螺合されて、ガス入口部２０ａがガス管３ａに連結される。また、この第１継手部材５ａを内周面に一端側からネジ山が、内周面の他端側に第１継手部材５ａの鍔部に係合される段部がそれぞれ形成された中空の六角筒状の第２継手部材６ａが覆い、この内周面のネジ山がガス入口部２０ａの外周面に形成されたネジ山に螺合される。このことにより、図示のように、第２継手部材６ａの段部が第１継手部材５ａの鍔部に係合されるとともに第２継手部材６ａの一端がカバーパッキン８ａの表面に当接されるようになる。
【手続補正２３】
【補正対象書類名】明細書
【補正対象項目名】００４２
【補正方法】変更
【補正の内容】
【００４２】
このようなガスメータカバー１のガスメータ２への取り付け方法及び固定方法を説明すると、まず、スペーサ９ａ及び９ｂをそれぞれ、ガス入口部２０ａ及びガス出口部２０ｂに挿通する。次に、ガス入口部２０ａ及びガス出口部２０ｂが一対の孔部１１ａ及び１１ｂにそれぞれ挿通するように、ガスメータカバー１を筐体に装着する。次に、カバーパッキン８ａ、８ｂを、ガス入口部２０ａ及びガス出口部２０ｂに挿通する。次に、ガス入口部２０ａ及びガス出口部２０ｂのそれぞれの上部に、継手パッキン７ａ及び７ｂを載せる。そして、ガス入口部２０ａ及びガス出口部２０ｂそれぞれに対応する継手手段５ａ、６ａ及び５ｂ、６ｂを、ガス入口部２０ａ及びガス出口部２０ｂに連結する。
【手続補正２４】
【補正対象書類名】明細書
【補正対象項目名】００４３
【補正方法】変更
【補正の内容】
【００４３】
このような取り付け構造及び方法によると、カバーパッキン８ａがガスメータカバー１の外側に配置され、継手部材５ａ、６ａ及び５ｂ、６ｂが螺合されてガスメータカバー１がガスメータ２の筐体に固定される。この場合にも、ガスメータに対する気密性が向上して、上方からの雨水等の侵入を確実に防止することができるようになる。特に、カバーパッキン８ａをガスメータカバー１の外側に配置することにより、ガスメータカバー１をガスメータ２に取り付けたままカバーパッキン８ａの交換が可能になるので、メインテナンス性が向上する。
【手続補正２５】
【補正対象書類名】明細書
【補正対象項目名】００４４
【補正方法】変更
【補正の内容】
【００４４】
なお、ここでは、代表して、ガス入口部２０ａ側を用いてガスメータカバー１の取り付け構造を説明したが、ガス出口部２０ｂ側もこれと全く同様である。上記ガス入口部２０ａ側の第１継手部材５ａ、第２継手部材６ａ、継手パッキン７ａ、カバーパッキン８ａ及びスペーサ９ａはそれぞれ、ガス出口部２０ｂ側の第１継手部材５ｂ、第２継手部材６ｂ、継手パッキン７ｂ、カバーパッキン８ｂ及びスペーサ９ｂに対応する。これらの形状及び材質も、図２〜図５で示したものと全く同等である。
【手続補正２６】
【補正対象書類名】明細書
【補正対象項目名】００４５
【補正方法】変更
【補正の内容】
【００４５】
以上のように本実施形態によれば、縦出入口型ガスメータに本来備わっている筐体上面に突設されたガス入口部２０ａ及びガス出口部２０ｂや、必ず使用される継手部材５ａ、６ａ及び５ｂ、６ｂに対応した形状のガスメータカバー１を形成し、このような形状のガスメータカバー１をガス入口部２０ａ及びガス出口部２０ｂ、並びに継手手段５ａ、６ａ及び５ｂ、６ｂを積極的に利用してガスメータカバー１を確実に固定できるようにしている。この結果、簡単な構成及び作業で、ガスメータ上の錆の発生しやすい上部の関連部材取付部が長期間安定的に保護される。また、ガスメータカバー１と筐体との間に所定の空間を設け、更に、下方にすすむにしたがって徐々に外側に広がるようにガスメータカバー１を開口しているので、より通気性が向上し、より効果的に錆の原因となる雨水等をガスメータから遠ざけると共に表示部の視認性も良好に維持することができる。